(57)【特許請求の範囲】
【請求項１】
地下空洞の床面上に取り外し可能な固定手段によって立設されている支柱と、この支柱によって支えられていて、地下空洞上部からの落下物を防ぐ屋根と、を備えていて、地下空洞内の作業空間の安全を確保するプロテクターを移動させるプロテクター移動方法であって、前記支柱の下部に、車輪を、床面から少し浮かして取り付け、前記固定手段を外すことにより前記支柱を解放した後に、前記プロテクターを、床面から浮かせて移動させること、を特徴とするプロテクター移動方法。
【請求項２】
請求項１記載のプロテクター移動方法において、前記プロテクターを押し上げて、床面から浮かせること、を特徴とするプロテクター移動方法。
【請求項３】
地下空洞の床面に立設されている支柱と、この支柱によって支えられていて、地下空洞上部からの落下物を防ぐ屋根と、を備えていて、地下空洞内の作業空間の安全を確保するプロテクターにおいて、前記支柱の下部に、床面から少し浮かして取り付けられる車輪を備えることを特徴とするプロテクター。
【発明の詳細な説明】
【０００１】
【発明の属する技術分野】
本発明は、地下空洞内の作業空間の安全を確保するプロテクターを容易に移動するプロテクター移動方法および移動容易なプロテクターに関する。
【０００２】
【従来の技術】
トンネルなどの地下空洞内において作業を行う場合は、地下空洞上部からの落下物を防ぐプロテクターを設置する必要がある。
従来例であるプロテクター１００は、図４の断面概略図に示すように、地下空洞１１０の床面１１１上に一定間隔おきに配置・固定される敷桁１０１と、敷桁１０１上に固定・立設されている支柱１０２と、複数の支柱１０２によって支えられていて地下空洞上部からの落下物を防ぐ屋根１０３と、により概略構成されている。
【０００３】
通常、プロテクター１００は、以下の手順に従って組み立てられる。
すなわち、まず、アンカーおよびアンカー止め金具を用いて、敷桁１０１を床面１１１上に固定する。
次に、支柱１０２を敷桁１０１にボルトを用いて固定する。
最後に、支柱１０２の上に屋根１０３を取り付ける。
【０００４】
【発明が解決しようとする課題】
既製のトンネル内にプロテクター１００を設置すると、車両の通行は不可能となっていたが、工事期間中においても緊急車両を即座に工事現場を通過させる必要がある。しかし、上述した従来工法においては、プロテクター１００の取り外しに時間を要していたため、緊急車両を即座に工事現場を通過させることは難しかった。
【０００５】
上記事情に鑑み、本発明は、プロテクターを容易に移動するプロテクター移動方法および移動容易なプロテクターを提供することを目的とする。
【０００６】
【課題を解決するための手段】
上記問題点を解決するため、請求項１記載の発明は、地下空洞の床面上に取り外し可能な固定手段によって立設されている支柱と、この支柱によって支えられていて、地下空洞上部からの落下物を防ぐ屋根と、を備えていて、地下空洞内の作業空間の安全を確保するプロテクターを移動させるプロテクター移動方法であって、前記支柱の下部に、車輪を、床面から少し浮かして取り付け、前記固定手段を外すことにより前記支柱を解放した後に、前記プロテクターを、床面から浮かせて移動させることを特徴とする。
【０００７】
この請求項１記載のプロテクター移動方法によれば、前記支柱の下部に車輪を床面から少し浮かして取り付けたので、例えば曲線部を通過する際に遠心力が加わっても、前記プロテクターは、バランスが崩れる前に前記車輪によって床上に、前記プロテクターの移動を妨げることなく支持される。すなわち、前記プロテクターは曲線部を通過する際もスピードを落とす必要はないため、非常に短い時間にて容易にプロテクターを所定位置まで移動できる。
【０００８】
また、請求項２記載のプロテクター移動方法は、請求項１記載のプロテクター移動方法において、前記プロテクターを押し上げて、床面から浮かせることを特徴とする。
【０００９】
この請求項２記載のプロテクター移動方法によれば、前記固定手段を取り外した後に前記プロテクターを押し上げることで地下空洞の床面から浮かせ、さらに前記プロテクターを床面から浮かしたまま移動させるので、より容易にプロテクターを所定位置まで移動できる。
【００１０】
また、請求項３記載の発明は、地下空洞の床面に立設されている支柱と、この支柱によって支えられていて、地下空洞上部からの落下物を防ぐ屋根と、を備えていて、地下空洞内の作業空間の安全を確保するプロテクターにおいて、
前記支柱の下部に、床面から少し浮かして取り付けられる車輪を備えることを特徴とする。
【００１１】
この請求項３記載の発明によれば、請求項２に記載のプロテクター移動方法に用いるプロテクターを作製できる。
【００１２】
【発明の実施の形態】
以下、本発明の一実施例であるプロテクター１と、プロテクター１を動かすプロテクター移動装置２について詳細に説明する。
図１は、プロテクター１およびプロテクター移動装置２を地下空洞１１０内で使用している状態を示す断面概略図である。
図２は、プロテクター１の側面概略図である。
図３は、プロテクター移動装置２の構成を説明する側面概略図である。
【００１３】
まず、プロテクター１の構成について説明する。
プロテクター１は、図１に示すように、地下空洞１１０の床面１１１上にそれぞれ敷桁１１ａを介して一定間隔毎に立設される支柱１１と、支柱１１によって支えられていて地下空洞１１０の上壁からの落下物を防ぐ屋根１２と、により構成される。
ここで、各支柱１１の下部側面には車輪１３が設けられ、また、支柱１１と敷桁１１ａとは通常ボルトおよびナットを用いて固定される。
【００１４】
支柱１１は、図１に示すように、鋼柱であり、同一の列に配置された支柱１１の上部と下部はつなぎ鋼厚板１１ｂによって隣接する支柱１１と連結される。また、プロテクター１の剛性を向上させるため、補強棒１１ｃの一端を支柱１１に固定し、さらに、この補強棒１１ｃの他端を隣接する支柱１１に固定する。
ここで、図２に示すように、支柱１１−支柱１１間に２本の補強棒１１ｃを互いに交差するように設けると、さらにプロテクター１の剛性は向上する。
【００１５】
屋根１２は、図１および図２に示すように、断面方向に各支柱１１，１１の上にそれぞれ配置・固定される周知の横桁１２ａと、隣接する横桁１２ａ，１２ａを互いに固定して屋根１２の剛性を向上させる周知の縦桁１２ｂと、横桁１２ａの上に敷設される周知の覆工板１２ｃと、により概略構成される。
【００１６】
車輪１３は、鋼製の車輪であり、図１に示すように、車輪支持部１３ａによって、支柱１１の内側に、プロテクター１を支えるのに十分な強度を有するように取り付けられる。
ここで、車輪１３の下端は、支柱１１の下端より低く、かつ、プロテクター１が敷桁１１ａの上に取り付けられている状態においては床面１１１より高い。
【００１７】
次に、プロテクター移動装置２の構成について、図１および図３を用いて説明する。
プロテクター移動装置２は、プロテクター移動装置２を所定位置まで動かす移動手段２１と、移動手段２１の架台２１ａの上に立設される複数の押し上げ手段２２と、隣接する押し上げ手段２２を互いに固定する鋼製の固定棒２３と、により概略構成される。
ここで、移動手段２１は、例えばトレーラーである。
【００１８】
押し上げ手段２２は、架台２１ａに直接固定される中空の主柱２２ａと、主柱２２ａの中から押し上げられる中空の駆動柱２２ｂと、主柱２２ａの中から駆動柱２２ｂを押し上げる駆動手段２２ｃと、駆動手段２２ｃを駆動する駆動源２２ｄと、により概略構成される。ここで、駆動手段２２ｃおよび駆動源２２ｄとしては、例えば油圧アクチュエータおよび油圧ユニットである。
【００１９】
次に、プロテクター１とプロテクター移動装置２の使用方法について説明する。
上述したように、プロテクター１は、通常は敷桁１１ａを介して床面１１１に固定されている。
【００２０】
ここで、例えば緊急車両を通過させるために、プロテクター１を外す場合を考える。まず、押し上げ手段２２の駆動柱２２ｂを下げた状態で、プロテクター移動装置２をプロテクター１の下に配置する。次に、プロテクター１の支柱１１と敷桁１１ａとを固定しているボルトおよびナットを外す。ここで、プロテクター移動装置２を配置する前に前記ボルトおよびナットを外しても良い。
【００２１】
次に、押し上げ手段２２の駆動柱２２ｂを駆動させて、駆動柱２２ｂの上端をプロテクター１の屋根１２に当接させ、さらに駆動柱２２ｂを押し上げることにより、プロテクター１を敷桁１１ａから浮かせる。
【００２２】
次に、移動手段２１を動かすことにより、プロテクター移動装置２およびプロテクター１を所定位置まで動かす。
ここで、例えば移動手段２１が曲線部を通過する際、プロテクター１は、遠心力を受けるために傾く。しかし、支柱１１の内側に車輪１３を、車輪１３の下端が支柱１１の下端より下にくるように取り付けたため、プロテクター１は、バランスを崩す前に車輪１３によって床１１１上に、移動手段２１の動作を妨げることなく支持される。従って、移動手段２１は、曲線部を通過する際もスピードを落とす必要はない。
すなわち、プロテクター１は、非常に短い時間にて容易に取り外しかつ移動できる。
【００２３】
以上より、本発明の一実施例であるプロテクター１およびプロテクター移動装置２によれば、プロテクター移動装置２をプロテクター１の下に配置し、プロテクター１の支柱１１と敷桁１１ａとを固定するボルトおよびナットを外し、さらに、プロテクター移動装置２の押し上げ手段を用いてプロテクター１を敷桁１１ａから浮かせてからプロテクター移動装置２の移動手段２１を動かすことにより、容易にプロテクター１を所定位置まで移動できる。
【００２４】
また、支柱１１の内側に車輪１３を、車輪１３の下端が支柱１１の下端より下にくるように取り付けたので、例えば曲線部を通過する際に遠心力が加わっても、プロテクター１は、バランスが崩れる前に車輪１３によって床１１１上に、移動手段２１の動作を妨げることなく支持される。すなわち、移動手段２１は、曲線部を通過する際もスピードを落とす必要はないため、非常に短い時間にてプロテクター１を所定位置まで移動できる。
【００２５】
なお、本発明は本実施例に限定されるものではなく、当然本発明の趣旨を逸脱しない範囲で任意に変形できる。
例えば、車輪１３を各支柱１１に設けたが、例えば一本おきに車輪１３を設けるなど、一定間隔毎に車輪１３を設けても良い。
【００２６】
【発明の効果】
請求項１記載のプロテクター移動方法によれば、前記押し上げ手段および前記プロテクターは曲線部を通過する際もスピードを落とす必要はないため、非常に短い時間にて容易にプロテクターを所定位置まで移動できる。
【００２７】
また、請求項２記載のプロテクター移動方法によれば、より容易にプロテクターを所定位置まで移動できる。
【００２８】
また、請求項３記載の発明によれば、請求項２に記載のプロテクター移動方法に用いるプロテクターを作製できる。
【図面の簡単な説明】
【図１】プロテクター１およびプロテクター移動装置２を地下空洞１１０内で使用している状態を示す断面概略図である。
【図２】プロテクター１の側面概略図である。
【図３】プロテクター移動装置２の構成を説明する側面概略図である。
【図４】従来例であるプロテクター１００を説明する断面概略図である。
【符号の説明】
１                              プロテクター
２                              プロテクター移動装置
１１                            支柱
１１ａ                          敷桁
１１ｂ                          つなぎ鋼厚板
１１ｃ                          補強棒
１２                            屋根
１３                            車輪
１３ａ                          車輪支持部
２１                            移動手段
２１ａ                          架台
２２                            押し上げ手段
２３                            固定棒
１１０                          地下空洞
１１１                          床面
【図１】
0004054469.tif 000002
【図２】
0004054469.tif 000003
【図３】
0004054469.tif 000004
【図４】
0004054469.tif 000005